(57)【特許請求の範囲】
【請求項１】
第１の圧着端子と第２の圧着端子とが挿通されるケース本体と、
基部により片持ち梁的に支持され、所定の離隔で対向する弾性体の第１バネ部と第２バネ部とを有し、前記ケース本体に収容される板バネと、
前記第１バネ部と前記第２バネ部との間に介設される平板接触部と前記平板接触部から延在し端子盤の挿入口に挿入されるプラグ端子とを有するプラグと、
前記第１バネ部と前記第２バネ部と、その間に介設された前記平板接触部とにより、前記第１の圧着端子と前記第２の圧着端子をそれぞれ抜き差し可能とする、前記ケース本体に形成される第１の隙間と第２の隙間と、
前記ケース本体に回動可能に係合し、前記第１バネ部を押圧することで前記第１の圧着端子と前記平板接触部とを導通させ、又は押圧を解除することで非導通させる第１のレバーと、  
前記ケース本体に回動可能に係合し、前記第２バネ部を押圧することで前記第２の圧着端子と前記平板接触部とを導通させ、又は押圧を解除することで非導通させる第２のレバー
とを備えたことを特徴とする接続補助具。
【請求項２】
前記第１の圧着端子と前記第２の圧着端子が挿通される前記ケース本体の圧着端子の挿入面に開口する前記第１の隙間と、前記第２の隙間以外の開口に、前記圧着端子の誤挿入を防止するストッパーが形成されていることを特徴とする請求項１に記載の接続補助具。
【請求項３】
前記第１のレバー、及び前記第２のレバーは、それぞれ回転軸と、前記回転軸の回動に伴い、前記第１のレバーは前記第１バネ部を押圧する突起を有し、前記第２のレバーは前記第２バネ部を押圧する突起を有することを特徴とする請求項１又は２に記載の接続補助具。
【請求項４】
前記第１のレバー、前記第２のレバーをそれぞれ回動可能に前記ケース本体に係合させる取付け枠部を備えたことを特徴とする請求項１から３のいずれかに記載の接続補助具。
【発明の詳細な説明】
【技術分野】
【０００１】
本発明は、電線を収容する端子盤とこれに挿入される圧着端子との間に設けられ、端子盤と圧着端子とを接続する接続補助具に関し、特に、既存の端子盤を改造することなく、標準的な端子盤に対して、簡便な操作で、一つの挿入口から圧着端子が接続された電線を２系統引き出すことができる圧着端子の接続補助具の構造に関する。
【背景技術】
【０００２】
端子盤は、電線の端部を接続する台であって、複数の電力線又は信号線相互を、電気的に接続する目的で用いられる。そのため、端子盤には入力ポートと出力ポートとが設けられ、両者が導電性金属のベースで接続されている。
【０００３】
端子盤に取り付けられる電線の端部は、裸線で用いられることは少なく、通常は電線の端部に圧着端子を取り付けて、この圧着端子を端子盤で接続する。代表的な圧着端子の形状として、丸形端子（Ｒ型端子）と先端開放型端子（Ｙ型端子）がある。Ｒ型端子は、中央に円孔を有するワッシャー状の環状薄板よりなり、その一部の外側にネック部を設けて、電線を接続する。Ｙ型端子は、前方が開放された馬蹄形薄板の後方にネック部を設けて、電線を接続する。
【０００４】
これらの圧着端子を接続する端子盤の代表的な構造としては、ねじ締め式端子盤とねじなし端子盤がある。旧来からの基本的な端子盤の使用方法は、Ｒ型端子をねじ締め式端子盤に接続する方法である。これは、円孔を有する圧接板を用い、Ｒ型端子の円孔と圧接板の円孔の位置が合致するようにして、ねじにより圧接板を締め付けてＲ型端子を固定するものである。
【０００５】
このねじ締め式端子盤でＲ型端子を固定する方法は、ねじを緩め、ねじを取り外し、ねじ穴にR型端子を差し込み、再度ねじを締め付ける等、その作業の手間が非常に大きい、という問題がある。そのため、Ｒ型端子に代えてＹ型端子を用いることが考えられる。Ｙ型端子の場合は、上下２枚の圧接板のすき間に端子盤を滑り込ませることが可能な程度に、ねじを緩めれば良く、圧着端子着脱の作業の手間はかなり軽減される。
【０００６】
しかし、端子盤への圧着端子の挿入は、多くの場合端子盤内の電線を上下方向に配線することから、また、スペース的にも、配線を整理する上でも好適なことから、下側からとなる。このためＹ型端子が落下したり、圧着端子が左右に動き、斜めにねじ締めされる等の問題がときに発生する。
【０００７】
また、Ｙ型端子の場合には丸型端子に比較し、端子を拘束する力が弱く、電線に強い引き抜き力が作用するときには、余程ねじを強く締め付けなければ、電線が脱落してしまうという問題がある。さらに、ねじ式端子盤１００は、そのねじ径に適合する圧着端子しか接続できない、という問題がある。
【０００８】
このため、近年、端子盤におけるねじ締めの手間を完全に省略するため、ねじなし端子盤の提案がなされるようになり、例えば、特許文献１には、カムレバーにより端子金具を下方に押圧して、端子金具の上下片間に圧着端子を挟圧するレバー式端子装置が開示されている。
【０００９】
また、特許文献２には、レバーの押圧力により圧着端子を押圧する端子台（及び端子台の製造方法）が開示されている。この端子台は、端子と電気的に接続するベースと、このベースに向かって端子を付勢する板ばねからなる第１付勢部材と、初期位置と待機位置の間で回動可能で、待機位置で第１付勢部材を押し上げるレバーを備えている。
【００１０】
特許文献１、特許文献２に記載の技術は、いずれも端子盤のある箇所（一つの挿入口）に一つの圧着端子を挿入し電線を引き出すものである。しかし、端子盤の一つの挿入口から複数本の電線を引き出し、複数の系統に配線したい場合がある。かかる場合において、ネジ締め式端子盤では、それぞれの電線に圧着端子を接続し、それらの圧着端子を重ね合わせて端子台に締結するようにしている。そのため、配線本数が増えると圧着端子も多く必要とされるばかりでなく、端子台の狭いスペースに複数の圧着端子を取付けることは困難であるという問題があった。
【００１１】
そこで、特許文献３に記載の技術は、図８（ａ）に示すように、圧着端子の端子台へ締結される締結部の側部から分岐して形成された複数の圧着部を備える圧着端子を開示している。複数の圧着部は、それぞれ、締結部の側部から分岐する複数の突出部に横向きに形成されている。締結部に複数の圧着部を分岐形成することにより、１個の圧着端子で複数の配線を行うことが可能となり、実装密度を向上させることができる、というものである。
【００１２】
また、特許文献４に記載の技術は、図８（ｂ）に示すように、端子台に固定するための貫通穴１ｃが形成された単一の取付部１ａと、電線を圧着する複数の接続部１ｂが、前記取付１ａから分岐するように一体に形成されている圧着端子１を開示している。
【００１３】
特許文献４に記載の技術によれば、端子台の一つの接続位置に複数本の電線を接続するための圧着端子の種類を減らすことができる。また、管理が容易化される共に、作業性の低下を防ぐことができる。
【００１４】
このようにネジ締め式端子盤については、一つの挿入口から複数本の電線を引き出し、複数の系統に配線する技術が開示されている。しかし、レバーの押圧力により圧着端子を押圧する端子盤（レバー式端子盤）、いわゆる瞬間接線式端子盤について、ある箇所（一つの挿入口）から複数本の電線を引き出す技術は、現在のところ開示されていない。
【先行技術文献】
【特許文献】
【００１５】
【特許文献１】実開昭６３−６３９６８号公報
【特許文献２】特開２０１７−９１７２９号公報
【特許文献３】特許２０１０−１２３２９１号公報
【特許文献４】特開２００１−６８１８０号公報
【発明の開示】
【発明が解決しようとする課題】
【００１６】
そこで本発明課題は、既存の標準的なレバー式端子盤（瞬間結線端子盤）を改造することなく、簡便な操作で、一つの端子盤の挿入口からワンタッチで２系統に電線を引き出すことができる接続補助具を提供することにある。
【課題を解決するための手段】
【００１７】
上記課題を解決するため本発明は、第１の圧着端子と第２の圧着端子とが挿通されるケース本体と、
基部により片持ち梁的に支持され、所定の離隔で対向する弾性体の第１バネ部と第２バネ部とを有し、前記ケース本体に収容される板バネと、
前記第１バネ部と前記第２バネ部との間に介設される平板接触部と前記平板接触部から延在し端子盤の挿入口に挿入されるプラグ端子とを有するプラグと、
前記第１バネ部と前記第２バネ部と、その間に介設された前記平板接触部とにより、前記第１の圧着端子と前記第２の圧着端子をそれぞれ抜き差し可能とする、前記ケース本体に形成される第１の隙間と第２の隙間と、
前記ケース本体に回動可能に係合し、前記第１バネ部を押圧することで前記第１の圧着端子と前記平板接触部とを導通させ、又は押圧を解除することで非導通させる第１のレバーと、  
前記ケース本体に回動可能に係合し、前記第２バネ部を押圧することで前記第２の圧着端子と前記平板接触部とを導通させ、又は押圧を解除することで非導通させる第２のレバー
とを備えたことを特徴とする接続補助具、である。
【００１８】
本発明の接続補助具は、基本構造として上下に２つの圧着端子の挿通孔を備えるとともに、ケース本体に内包される平板接触部と、そこから延在し端子盤の挿入口に挿入されるプラグ端子とを有するプラグを備えている。かかるプラグ端子を、例えば、レバー式端子盤（瞬間結線端子盤）に挿入した状態で、２つの圧着端子をそれぞれ挿通孔に挿入する。なお、挿通孔を左右に形成した場合は、プラグの平板接触部に接続するプラグ端子は９０度、捩じられた構造となる。
【００１９】
挿通孔から挿通された第１の圧着端子は、板バネの第１バネ部（上側バネ部）と平板接触部との隙間である第１の隙間に挿入され、第２の圧着端子は、板バネの第２バネ部（下側バネ部）と平板接触部との隙間である第２の隙間に挿入される。かかる状態において、第１のレバーにより、上側バネ部を押圧し、第２のレバーにより下側バネ部を押圧すると、第１の圧着端子が平板接触部と電気的に接続し、第２の圧着端子が平板接触部と電気的に接続する。これにより、ワンタッチでレバー式端子盤の一つの挿入口から第１の圧着端子に接続する電線と第２の圧着端子に接続する電線、即ち、2系統の電線を引き出すことができる。
【００２０】
前記第１の隙間と前記第２の隙間が形成されている面には、上側バネ部と下側バネ部の反り（上下動）を確保するための空間が必要であり、かかる空間による隙間が生じる。このため、前記第１の隙間と前記第２の隙間が形成されている面の前記挿通孔以外の開口（隙間）に前記圧着端子が誤挿入されるのを防止する必要がある。本発明の補助具には、かかる誤挿入防止のためのストッパーが形成されている。
【００２１】
挿入孔から挿入された圧着端子を押圧する上側バネ部と下側バネ部の端部には、圧着端子の切欠け部に嵌合する係止爪が形成されている。かかる係止爪が切欠け部に嵌合することで、圧着端子の抜け（引き抜かれること）を防止できる。
【００２２】
かかる係止爪は略三角柱の形状とし、そのいずれかの側面が上側バネ部、下側バネ部と接合すように構成することで、係止爪（突起）の側面が挿通方向に下った傾斜面となる。これより、圧着端子が係止爪に当たっても挿入が阻害されることなく（傾斜に沿って挿入され）、挿入孔への抜き差しを容易に行うことができる。
【００２３】
また、第１のレバーと第２のレバーには、回転軸と、回転軸の回動に伴い上側バネ部、下側バネ部を押圧、又は押圧を解除する突起が形成されている。また本接続補助具は、第１のレバー、第２のレバーを回動可能にケース本体に係合させる取付け枠部を備えている。
【発明の効果】
【００２４】
本発明の接続補助具によれば、既存の標準的なレバー式端子盤（瞬間結線端子盤）を改造することなく、簡便な操作で、一つの挿入口からワンタッチで少なくとも２系統に電線を引き出すことができる接続補助具を提供することができる。また、本発明の接続補助具を多段に接続することにより、複数の電線を引き出し、多系統に配線すことができる。
【発明を実施するための最良の形態】
【００２５】
以下、本発明の好ましい実施の形態について、実施例の図面を参照して詳細に説明する。図１は、本発明の一実施例である圧着端子２が挿入された接続補助具１の斜視図である。接続補助具１は、図１（ａ）に示すように２つの圧着端子２を挿入できる挿入口を有し、圧着端子２と接触・押圧着する平板接触部と、そこから延在し、レバー式端子盤３に挿入されるプラグ端子とを有するプラグとを備える。図１（ｂ）は本接続補助具の使い方を示した図であり、レバー式端子盤３のある箇所（一つの挿入口）に接続補助具１のプラグ端子を挿入することで、レバー式端子盤３からワンタッチで２系統に電線を引き出した状態を示している。
【００２６】
図２は、本発明の一実施の形態である接続補助具１の分解斜視図である。図２において、接続補助具１は、プラグ１５を中央に挟持し、プラグ１５を挟持した状態において、その上下に圧着端子２が挿入される隙間１３３ａ、１３３ｂ（図３参照）を形成する板バネ１３、板バネ１３の上側バネ部１３１ａ（図３参照）を押圧し、圧着端子２とプラグ１５とを接触導通させる、又は押圧を解除する上側レバー１１ａ、板バネ１３の下側バネ部１３１ｂ（図３参照）を押圧し、圧着端子２とプラグ１５とを接触導通させる、又は押圧を解除する下側レバー１１ｂ、これらを収納するケース本体１２、そしてレバー１１を回動可能にケース本体１２に係止する取付け枠部１４とから構成される。レバー１１は、把手部１１２、把手部１１２の端部に形成されている回転軸１１１、そして回転軸１１１の回動により板バネのバネ部１３１を押圧する突起１１３とから構成されている。
【００２７】
図３は、ケース本体１２を透視した本発明の一実施例である接続補助具１の内部構造を示した斜視図である。レバー１１は、取付け枠部１４によりケース本体１２に回動可能の係止されている。板バネ１３の上側バネ部１３１ａとプラグ１５の平板接触部１５２との間には隙間１３３ａが形成され、下側バネ部１３１ｂと平板接触部１５２との間には隙間１３３ｂが形成されている。隙間１３３ａと隙間１３３ｂに圧着端子２が挿入される。
【００２８】
図３（ａ）において、圧着端子２が挿入されるケース本体１２の面には、隙間１３３ａ、隙間１３３ｂの他に、上側バネ部１３１ａとケース本体１２の側面との間、及び下側バネ部１３１ｂとケース本体１２の側面との間に、所定の隙間が必要であり、かかる隙間が圧着端子２の挿入面に開口としてあらわれる。かかる隙間は、圧着端子２を抜き差しすることに伴う板バネ１３１の上下動に必要となる空間として生じるものである。圧着端子２をかかる開口に誤挿入されるのを防ぐのが上側ストッパー１３２ａ、下側ストッパー１３２ｂである。
【００２９】
図４は、本発明の一実施の形態である接続補助具１を構成する板バネ１３の詳細図である。図４（ａ）は板バネ１３の側面図であり、図４（ｂ）は板バネ１３の斜視図である。
図４（ａ）に示すように、板バネ１３は、基部１３５（上側基部１３５ａ、下側基部１３５ｂ）を支点とし、平板の上側バネ部１３１ａ、平板の下側バネ部１３１ｂを有する。上側バネ部１３１ａ、下側バネ部１３１ｂとの間には隙間１３３が形成され、基部１３５の片側側面には隙間１３４が形成されている。
【００３０】
上側バネ部１３１ａと下側バネ部１３１ｂはいずれも、その端部に圧着端子２の誤挿入を防止する上側のストッパー１３２ａと下側のストッパー１３２ｂとを有する。また、その端部には、略三角柱の上側の係止爪１３６ａと下側の係止爪１３６ｂとを有する。
【００３１】
図５はプラグ１５が板バネ１３に挟持される構造を示した図である。プラグ１５は、図５（ａ）に示すように、端子盤３の挿入口に挿入されるプラグ端子１５１、板バネ１３の係止爪１３６が嵌合する切欠け部１５４、圧着端子２と接触し導通させる平板接触部１５２、そして板バネ１３の隙間１３４の奥に設けられ基部１３５の一部であって、上側バネ部１３１ａと下側バネ部１３１ｂとを接合する接合柱に嵌合する切欠け部１５３を有する。
図５（ｂ）は板バネ１３にプラグ１５が嵌合した状態の接続補助具１を示した図である。プラグ１５は隙間１３３、隙間１３４から挿入され、プラグ１５の切欠け部１５３は板バネ１３の基部１３５の一部である接合柱に嵌合し固定される。
【００３２】
図６は、本発明の一実施例である接続補助具１に圧着端子２が挿入されるケース本体１２の背面（圧着端子挿入面）の拡大斜視図である。上側バネ部１３１ａと平板接触部１５２との隙間１３３ａと、下側バネ部１３１ｂとの隙間１３３ｂに圧着端子が挿入される。上側バネ部１３１ａの上、及び下側バネ部１３１ｂの下には開口ができるが、かかる開口に圧着端子の誤挿入を防止するのがストッパー１３２ａ、ストッパー１３２ｂである。
【００３３】
図７は、圧着端子２が本発明の一実施例である接続補助具１の挿入された状態の拡大斜視図である。圧着端子２ａ、２ｂの端子２０ａ、２０ｂが、平板接触部１５２の上下に挿入されている。図７においては、レバー１１ａは、押圧を解除する状態であるが、レバー１１ａを時計回り方向（図７においては右方向）に倒すことで、回転軸１１１ａの回転により突起１１３ａが時計回り方向に回転し、バネ部１３１ａを押圧し端子２０ａと平板接触部１５２とを接触・導通させる。突起１１３ａの押圧によりレバー１１には上方向の力が働くが、取付け枠部１４ａにより、その浮き上がりが防止される。
【００３４】
押圧状態（倒した状態）にあるレバー１１ａを解除状態（倒立した状態）にすると、基部１３５から張り出しているバネ部１３１ａの復元力（板バネ）により押圧状態が解除され、圧着端子２を容易に引く抜くことができる。なお、圧着端子２ｂについても同様の操作で同様に動作する。
【図面の簡単な説明】
【００３５】
【図１】本発明の一実施例である接続補助具１の斜視図である。
【図２】本発明の一実施形態である接続補助具の分解斜視図である。
【図３】ケース本体１２を透視した本発明の一実施例である接続補助具１の内部構造を示した斜視図である。
【図４】発明の一実施の形態である接続補助具１を構成する板バネの詳細図である。
【図５】プラグ１５が板バネ１３に挟持される構造を示した図である。
【図６】本発明の一実施例である接続補助具１に圧着端子２が挿入されるケース本体１２の背面（圧着端子挿入面）の拡大斜視図である。
【図７】圧着端子２が本発明の一実施例である接続補助具１の挿入された状態の拡大斜視図である。
【図８】端子盤の挿入口に複数の圧着端子を接続する従来技術を示した図である。
【符号の説明】
【００３６】
１：接続補助具  
２：圧着端子
３：レバー式端子盤
１１：レバー
１１ａ：上側レバー  １１ｂ：下側レバー
１２：ケース本体
１３：板バネ
１４：取付け枠部
１５：プラグ
１１１：回転軸
１１２：把手部
１１３：突起
１３１：バネ部
１３２:ストッパー
１３３  １３４：隙間
１３５：基部
１３６：係止爪
１５１：プラグ端子
１５２：平板接触部
１５３  １５４：切欠け部
【要約】      （修正有）【課題】簡便な操作で、一つの端子盤の挿入口からワンタッチで２系統に電線を引き出すことができる接続補助具を提供する。【解決手段】挿通孔を通してケース本体に導入される第１の圧着端子と第２の圧着端子の間に介在する導電性の平板接触部と、前記平板接触部から延在し前記端子盤の挿入口に挿入されるプラグ端子とを有するプラグと、基部により片持ち梁的に支持され、所定の離隔で対向する弾性体の第１バネ部と第２バネ部と、前記第１バネ部と前記第２バネ部の略中央に前記平板接触部が収容された状態において、前記第１バネ部を押圧することで前記第１の圧着端子と前記平板接触部とを導通させ、又は押圧を解除することで非導通させる第１のレバーと、前記第２バネ部を押圧することで前記第２の圧着端子と前記平板接触部とを導通させ、又は押圧を解除することで非導通させる第２のレバーとを備える接続補助具。【選択図】図２【図１】
0006976006.tif 000002
【図２】
0006976006.tif 000003
【図３】
0006976006.tif 000004
【図４】
0006976006.tif 000005
【図５】
0006976006.tif 000006
【図６】
0006976006.tif 000007
【図７】
0006976006.tif 000008
【図８】
0006976006.tif 000009